(57)【特許請求の範囲】
【請求項１】
水を噴射させて飛行または空中浮遊するための飛行装置であって、
乗員の右足側に連結される右支持部と、該右支持部から離れる方向に水を噴射する右噴射部と、を一体的に具備する第１の飛行制御手段と、
乗員の左足側に連結される左支持部と、該左支持部から離れる方向に水を噴射する左噴射部と、を一体的に具備する第２の飛行制御手段と、
前記右噴射部および前記左噴射部に向けて圧送される水の流路を具備する自在継手部と、を有する飛行装置において、
前記自在継手部が、少なくとも、
外側湾曲部と、
前記外側湾曲部の内側で相対的に動作可能な内側湾曲部と、
前記内側湾曲部が前記外側湾曲部から外れることを阻止する止め部と、
を含んで構成され、
前記内側湾曲部と前記外側湾曲部との間に、ベアリングを介在させている、
ことを特徴とする飛行装置。
【請求項２】
水を噴射させて飛行または空中浮遊するための飛行装置であって、
乗員の右足側に連結される右支持部と、該右支持部から離れる方向に水を噴射する右噴射部と、を一体的に具備する第１の飛行制御手段と、
乗員の左足側に連結される左支持部と、該左支持部から離れる方向に水を噴射する左噴射部と、を一体的に具備する第２の飛行制御手段と、
前記右噴射部および前記左噴射部に向けて圧送される水の流路を具備する自在継手部と、を有する飛行装置において、
前記自在継手部が、少なくとも、
外側湾曲部と、
前記外側湾曲部の内側で相対的に動作可能な内側湾曲部と、
前記内側湾曲部が前記外側湾曲部から外れることを阻止する止め部と、
を含んで構成され、
前記内側湾曲部と前記外側湾曲部の間に隙間を設けて、両者の間に薄い水の膜が張るように構成されている、ことを特徴とする飛行装置。
【請求項３】
前記自在継手部は、流路を有するボールジョイントを含んで構成されている、
ことを特徴とする請求項１又は２に記載の飛行装置。
【請求項４】
前記自在継手部の流路に通ずる第１の継手部を更に有しており、第１の飛行制御手段は、第１の継手部に対して回動可能に連結されており、
前記自在継手部の流路に通ずる第２の継手部を更に有しており、第２の飛行制御手段は、第２の継手部に対して回動可能に連結されている、
ことを特徴とする請求項１乃至３の何れかに記載の飛行装置。
【請求項５】
前記第１の飛行制御手段の回動を妨げるための第１の回動阻止手段と、
前記第２の飛行制御手段の回動を妨げるための第２の回動阻止手段と、
を着脱可能に具備することを特徴とする請求項４に記載の飛行装置。
【請求項６】
水を噴射させて飛行または空中浮遊するための飛行装置と、該飛行装置に向けて水を圧送するためのホースと、を相互接続するための飛行装置用アダプターであって、
前記ホースの圧送水出口に接続可能な第１の流路と、
前記飛行装置の圧送水入口に接続可能な第２の流路と、
を有する自在継手を含んで構成される飛行装置用アダプターにおいて、
前記自在継手が、少なくとも、
外側湾曲部と、
前記外側湾曲部の内側で動作可能な内側湾曲部と、
前記内側湾曲部が前記外側湾曲部から外れることを阻止する止め部と、
を含んで構成され、
前記内側湾曲部と前記外側湾曲部との間に、ベアリングを介在させている、
ことを特徴とする飛行装置用アダプター。
【請求項７】
水を噴射させて飛行または空中浮遊するための飛行装置と、該飛行装置に向けて水を圧送するためのホースと、を相互接続するための飛行装置用アダプターであって、
前記ホースの圧送水出口に接続可能な第１の流路と、
前記飛行装置の圧送水入口に接続可能な第２の流路と、
を有する自在継手を含んで構成される飛行装置用アダプターにおいて、
前記自在継手が、少なくとも、
外側湾曲部と、
前記外側湾曲部の内側で動作可能な内側湾曲部と、
前記内側湾曲部が前記外側湾曲部から外れることを阻止する止め部と、
を含んで構成され、
前記内側湾曲部と前記外側湾曲部の間に隙間を設けて、両者の間に薄い水の膜が張るように構成されている、ことを特徴とする飛行装置用アダプター。
【発明の詳細な説明】
【技術分野】
【０００１】
本発明は、圧送される水を噴射させて水上で飛行または空中浮遊するための飛行装置（ハイドロフライト装置／水噴射式飛行器具／水圧を利用する運動器具）と、この飛行装置と送水ホースを相互接続するアダプターに関するものである。なお、本発明に係る飛行装置の概念には、マリンスポーツで使用する運動器具が含まれる。
【背景技術】
【０００２】
水圧の力で空を飛ぶことができる装置を足元に装着し、水上バイクから噴出された水圧（ウォータージェット）を利用して空中を自由に飛び回る、といった新たなマリンスポーツが普及し始めている。特許文献１には、そのような新たなマリンスポーツで使用する水圧飛行装置の一例が開示されている。
【０００３】
特許文献１に開示された水圧飛行装置は、図１２に示すように、乗員がその上に位置することが可能な１枚の台(91)と、この１枚の台(91)の底面に連結された２つのノズル(92a)(92b)と、このノズル(92a)(92b)に連結された収集部(94)を有している。そして収集部(94)の基部(94c)に対しては、供給路(93)の先端部が連結されるようになっている。
【０００４】
上記構成の水圧飛行装置は、乗員の重心を移動させたり、足元の飛行装置全体を任意の方向に傾けるなどして、飛行方向を制御することが可能であり、水上での空中遊泳を楽しむレジャー器具として人気を集めている。また、近年では、単なるレジャーとしてのみならず、空中での回転や宙返り、水中へのダイブなどのパフォーマンスを競う新たなマリンスポーツとしても注目を集めている。
【０００５】
しかしながら、従来の水圧飛行装置は、耐圧ホースなどからなる供給路(93)によって、飛行装置の動きが拘束されるため、飛行装置の空中での動作が鈍くなり、空中でのパフォーマンスの自由度、操作性に欠けるといった問題があった。
【０００６】
一方、供給路(93)による水圧飛行装置の拘束を緩和するために、収集部(94)の基部(94c)を金属製スイベルジョイントで構成することが本願発明者によって検討されたが、その場合には、金属製のスイベルジョイントによって水圧飛行装置の重量が重くなり、その荷重によって飛行装置の動きが大幅に拘束され、空中でコントロールしにくくなるといった問題が生じる。また、スイベルジョイントを用いて耐圧ホースを接続しても、耐圧ホースに対する傾斜方向の動作は依然として拘束されたままなので、水圧飛行装置の操作性の向上は期待できるものではなかった。
【先行技術文献】
【特許文献】
【０００７】
【特許文献１】特表２０１４−５３１３６２
【発明の概要】
【発明が解決しようとする課題】
【０００８】
そこで、上述した従来技術の問題点に鑑み、本発明の目的は、従来よりも操作性に優れた新たな水圧飛行装置（ハイドロフライト装置／水噴射式飛行器具／水圧を利用する運動器具）を提供することにある。また、本発明の他の目的は、水圧飛行装置（例えば既存の水圧飛行装置）に装着することで該飛行装置の操作性を向上させることが可能なアダプターを提供することにある。
【課題を解決するための手段】
【０００９】
上記目的は、
水上にあるウォータージェット推進装置（たとえば水上バイクが具備する推進装置）からホースを介して圧送される水（ウォータージェット）を噴射させて、それを推力として水上で飛行または空中浮遊するための飛行装置であって、
乗員を支えるための乗員支持手段（例えば後述する支持部(21)(31)）と、
前記乗員支持手段から離れる方向に水を噴射する噴射手段（例えば後述する噴射ノズル(23)(33)）と、
前記噴射手段に向けて圧送される水の流路を具備する自在継手部（例えば後述するボールジョイント）と、
を有する飛行装置（マリンスポーツの運動器具を含む）によって達成される。
【００１０】
また上記目的は、
圧送される水を噴射させて（その噴射エネルギーを推力として利用して）水上で飛行または空中浮遊するための飛行装置であって、
乗員の右足側に直接または間接的に連結（固定）される右支持部と、該右支持部から離れる方向に水を噴射する右噴射部と、を一体的に具備する第１の飛行制御手段と、
乗員の左足側に直接または間接的に連結（固定）される左支持部と、該左支持部から離れる方向に水を噴射する左噴射部と、を一体的に具備する第２の飛行制御手段と、
前記右噴射部および前記左噴射部に向けて圧送される水の流路を具備する自在継手部と、を有する飛行装置（マリンスポーツの運動器具を含む）によって達成される。
【００１１】
上記飛行装置において、前記自在継手部は、たとえば流路を有するボールジョイントを含んで構成されている。
【００１２】
また、上記飛行装置が具備する自在継手部は、少なくとも、
外側湾曲部と、
前記外側湾曲部の内側で相対的に動作可能な内側湾曲部と、
前記内側湾曲部が前記外側湾曲部から外れることを阻止する止め部と、
を含んで構成されてもよい。
【００１３】
また、上記飛行装置では、
前記自在継手部の流路に通ずる第１の継手部を更に有しており、第１の飛行制御手段は、第１の継手部に対して回動可能に連結されており、
前記自在継手部の流路に通ずる第２の継手部を更に有しており、第２の飛行制御手段は、第２の継手部に対して回動可能に連結されている、
ことが好ましい。
【００１４】
また、上記飛行装置は、
第１の飛行制御手段の回動を妨げるための第１の回動阻止手段と、
第２の飛行制御手段の回動を妨げるための第２の回動阻止手段と、
を着脱可能に具備してもよい。
【００１５】
また、上記目的は、
圧送される水を噴射させて水上で飛行または空中浮遊するための飛行装置と、該飛行装置に向けて水を圧送するためのホースと、を相互接続するための飛行装置用アダプターであって、
前記ホースの圧送水出口に接続可能な第１の流路と、
前記飛行装置の圧送水入口に接続可能な第２の流路と、
を有する自在継手を含んで構成される飛行装置用アダプターによって達成される。
【００１６】
上記アダプターが具備する自在継手は、少なくとも、
外側湾曲部と、
前記外側湾曲部の内側で動作可能な内側湾曲部と、
前記内側湾曲部が前記外側湾曲部から外れることを阻止する止め部と、
を含んで構成されてもよい。
【発明の効果】
【００１７】
本発明に係る水圧飛行装置は、噴射ノズルなどの噴射手段に向けて圧送される水の流路として自在継手部を備えている。この自在継手部は、例えば、内部に流路が形成されたボールジョイントで構成される。このような自在継手部に対して送水ホース（水上バイク等から供給されるウォータージェットの流路）を接続することで、該ホースによる飛行装置の拘束が緩和され、空中で自由自在に動き回ることが可能になる。すなわち、自在継手部の一部分がホースに追従して動き回る（傾斜したり相対的に回動する）ことができるので、飛行装置全体（乗員の動き）に対するホースの拘束が緩和され、複雑な飛行パフォーマンスを実現することが可能になる。
【００１８】
また、自在継手部を構成するボールジョイントは、内側湾曲部と、該内側湾曲部に対して球面接触する外側湾曲部を有している。内側湾曲部と外側湾曲部の一方は他方に邪魔されることなく任意の方向に回動できる。また、引っ張られても内側湾曲部が外側湾曲部から抜け出ることがないように、内側湾曲部と外側湾曲部は相互結合している。
水上バイクに連結された送水ホースとの接続部（連結部）にこのようなボールジョイントを介在させることで、該送水ホースによる飛行装置の拘束が緩和され、空中で自由に動き回ることが可能になる。
また、送水ホースとの接続部（連結部）にスイベルジョイントなどを設ける場合に比べて、飛行装置を軽量化することができる。
したがって、本発明によれば、飛行装置の重量増加を抑えつつ、該飛行装置のコントロール性能を飛躍的に向上させることが可能になる。
【００１９】
また本発明において、自在継手部（ボールジョイント）は、
・外側湾曲部と、
・外側湾曲部の内側で相対的に動作可能な内側湾曲部と、
・内側湾曲部が外側湾曲部から外れることを阻止する止め部と、
の少なくとも３つのパーツ（３部構造）で構成することも可能である。
このような３部構造を採用することで、自在継手部（ボールジョイント）の組立て、分解、洗浄、メンテナンスなどが容易になる。
また、摩耗などの劣化が生じた場合に、部分的な交換や補修で対応することができ、自在継手部（ボールジョイント）の全体を交換する場合に比べて、低コストでのメンテナンスが可能になる。
なお、自在継手部（ボールジョイント）を４つ以上のパーツで構成する態様であっても、上述した３つのパーツ（３部構造）を採用する限り、本発明の技術的範囲に含まれる。
【００２０】
また本発明に係る水圧飛行装置は、
前記第１の飛行制御手段の回動を妨げるための第１の回動阻止手段と、
前記第２の飛行制御手段の回動を妨げるための第２の回動阻止手段と、
を着脱可能に具備することも可能である。
このような回動阻止手段を採用することで、第１・第２の飛行制御手段が回動しないように必要に応じて固定することが可能となる。すなわち、第１・第２の飛行制御手段の可動域を必要に応じて意図的に制限することで（第１・第２の飛行制御手段の動作を規制することで）、飛行装置の操作が単純化され、飛行装置の初心者であっても、安心して安定した飛行を楽しむことができる。
また、飛行装置の操作に慣れた者が使用する場合には、回動阻止手段を取り外すことで、第１・第２の飛行制御手段を自由自在に回動させることができ、その結果、複雑な飛行パフォーマンスを実現することが可能になる。
つまり、飛行装置のユーザのレベル（練度や技能）に応じて、飛行装置の操作を単純化させたり複雑化させることが可能となる。
【００２１】
また、本発明のアダプターは、水圧飛行装置と、該飛行装置に向けて水を圧送するためのホースと、を相互接続するための接続器具に関するものである。この飛行装置用アダプターは、ホースの圧送水出口に接続される第１の流路と、飛行装置の圧送水入口に接続される第２の流路と、を有するボールジョイントなどの自在継手で構成される。第１の流路は、第２の流路との連結状態を保ったまま自在に動き回ることができる。
このような自在継手タイプのアダプターを、水圧飛行装置とホースとの間に介在させることで、例えば既存の水圧飛行装置の操作性を大幅に向上させることが可能になる。
なお、本発明のアダプターを適用可能な飛行装置の種類は特に限定されない。
【００２２】
すなわち、本発明のアダプターを適用可能な飛行装置は、少なくとも、
・乗員を支えるための乗員支持手段と、
・該乗員支持手段から離れる方向に水（ウォータージェット）を噴射する噴射手段と、
・この噴射手段に向けて圧送される水の流路と、
・アダプターを接続可能であって前記流路に通ずる接続部と、
を具備していれば足り、その他の点は特に限定されない。
【００２３】
また、前述した自在継手部の３つのパーツ（３部構造）を、本発明のアダプターの自在継手に採用することも可能である。これにより、アダプターのメンテナンスが容易になり、また、低コストでのメンテナンスが可能になる、といった優れた効果が達成される。
【図面の簡単な説明】
【００２４】
【図１】本発明の第１実施形態に係る飛行装置の使用状態を示す図である。
【図２】本発明の第１実施形態に係る飛行装置を示す断面図である。
【図３】図２に示す飛行装置の分解図である。
【図４】図２に示す飛行装置が具備する自在継手部（ボールジョイント）の動作を示す断面図である。
【図５】本発明の第１実施形態に係るアダプターを示す斜視図である。
【図６】図６(a)は本発明の第１実施形態に係るアダプターを示す断面図であり、図６(b)は図６(a)に示すアダプターの分解図である。
【図７】図６(a)(b)に示すアダプターを、水圧飛行装置（例えば従来からある既存の水圧飛行装置）に適用した状態を示す図であって、該アダプターの動作を示す図である。
【図８】本発明の第２実施形態に係る飛行装置を示す断面図である。
【図９】図８に示す飛行装置の分解図である。
【図１０】図１０(a)は本発明の第２実施形態に係るアダプターを示す断面図であり、図１０(b)は図１０(a)に示すアダプターの分解図である。
【図１１】本発明の第３実施形態に係る飛行装置を示す断面図である。
【図１２】従来の飛行装置を示す図である。
【発明を実施するための形態】
【００２５】
本発明に係る水圧飛行装置１は、ウォータージェット推進装置（インペラー等）を具備する水上バイクなどの小型船舶から供給されるウォータージェットを推進力として利用し、乗員が足元に装着して水上を飛行または空中浮遊するためのハイドロフライト装置（ウォータージェット噴射装置）である。この水圧飛行装置１は、河川、湖、海などの水上で利用する。なお、この出願で言及する「水」には「海水」も含まれる。
【００２６】
図１に示す例では、長尺の可撓性耐圧ホース３の一端が、水上バイクなどのウォータージェット噴出口に金具等で接続されており、また、耐圧ホース３の他端が水圧飛行装置１に接続されている。以下の説明では、ウォータージェット推進装置を具備する船舶の具体例として水上バイクを挙げる。
【００２７】
耐圧ホース３を介して水上バイクのインペラーから供給された高圧のウォータージェットは、ボールジョイントからなる自在継手部４を経て２方向（図面において左右方向）に分岐し、左右の噴射ノズル２３，３３（噴射手段）から噴出する。飛行装置はノズル２３，３３から噴出するウォータージェットを推進力として利用し、乗員を乗せた状態で水上で飛行することができる。
【００２８】
飛行装置のユーザである乗員は、飛行装置を足元で操作したり、飛行装置の上で重心を移動させるなどして、空中で横回転や宙返りなどの多彩な動きを見せることが可能である。
【００２９】
以下、添付図面に基づいて、水圧飛行装置の構成について具体的に説明する。
【００３０】
（飛行装置の構成）
図１は、本発明に係る飛行装置の使用状態を示す図である。
図２は、本発明に係る飛行装置を示す断面図である。
図３は、図２に示す飛行装置の分解図である。
図４は、図２に示す飛行装置が具備する自在継手部（ボールジョイント）の動作を示す断面図である。
【００３１】
本発明に係る飛行装置１は、図１〜図３に示すように（特に図３を参照）、
・  乗員の右足側に連結される右支持部２１と、該右支持部から離れる方向に水を噴射する右ノズル２３（右噴射部）と、を一体的に具備する第１の飛行制御手段２５と、
・  乗員の左足側に連結される左支持部３１と、該左支持部から離れる方向に水を噴射する左ノズル３３（左噴射部）と、を一体的に具備する第２の飛行制御手段３５と、
・  右ノズル２３および左ノズル３３に向けて圧送されるウォータージェットの流路を内部に具備する自在継手部４と、を有する。
【００３２】
なお、この出願において「乗員」とは、飛行装置のユーザ、すなわち、飛行装置を足元に装着して飛行する者を指している。また、本発明の飛行装置をマリンスポーツの運動器具として使用する場合には、当該運動器具を使用するユーザや競技者が「乗員」に該当する。
【００３３】
右支持部２１と左支持部３１はそれぞれ、例えば足を乗せる台やブーツを固定するビンディングなどを含んで構成されている。右支持部２１には、例えば乗員の右足に装着したブーツを固定し、また、左支持部３１には、例えば乗員の左足に装着したブーツを固定する。右支持部２１と左支持部３１の組み合わせは、飛行装置のユーザである乗員を支える乗員支持手段を構成している。
【００３４】
右ノズル２３と左ノズル３３の組み合わせはウォータージェット噴射手段を構成し、乗員支持手段（支持部２１，３１）から離れる方向に水を噴射する。自在継手部４を介して左右のノズル２３，３３に個別に且つ同時にウォータージェットを供給することで、該ウォータージェットがノズル２３，３３から噴出し、その反動で飛行装置１は図１に示すように水上で（河川、湖、海などの水上で）飛行することができる。
【００３５】
なお、本実施形態では、右支持部２１と左支持部３１を別個独立の部材として構成しているが、例えば右支持部２１と左支持部３１を従来装置のように一つの台などで一体的に構成してもよい。
【００３６】
（自在継手部の特徴）
自在継手部４は、内部にウォータージェット用の流路（水が流れることが可能な空間からなる流路）を有するボールジョイントで構成されている。
【００３７】
この自在継手部４は、図２及び図３に示すように、ウォータージェットが流通可能な第１の流路５と第２の流路６を含んで構成されている。
【００３８】
第１の流路５は、
・  球体の曲率の外周面（湾曲面）を持つ内側湾曲部５１（内側ボール部）と、
・  水上バイク等のウォータージェット推進装置につながる耐圧ホースへの接続部５３と、を一体的に具備している。
【００３９】
第２の流路６は、
・  球体の曲率の内周面（湾曲面）を持つ外側湾曲部６１（外側ボール部）と、
・  第１の飛行制御手段２５を接続可能な第１継手部６３と、
・  第２の飛行制御手段３５を接続可能な第２継手部６５と、
を一体的に具備している。
【００４０】
第１の流路の内側湾曲部５１と、第２の流路の外側湾曲部６１は、図２に示すように、外側湾曲部６１が内側湾曲部５１を外側から包み込むように（例えば内側と外側で球面接触するように）、相互連結されている。また、第１の流路５に対して引っ張り力が作用しても、内側湾曲部５１が外側湾曲部６１から抜け出ないように、第１の流路５は第２の流路６の外側湾曲部６１によって保持されている。ただし、内側湾曲部５１は、外側湾曲部６１の内側に収まった状態で（所定の範囲内で）自由に動き回ることが可能である。
【００４１】
なお、この出願で言及する「湾曲部」とは、必ずしも球体形状に限定されるものではなく、図２及び図３に示す湾曲部５１，６１のように、球体の一部を切り欠いた形状であってもよい。
【００４２】
第１の流路５の接続部５３には、水上バイクのウォータージェット噴出口に接続された耐圧ホース３を連結することが可能である。耐圧ホース３を接続部５３に連結する際には、クランプなどの連結金具を利用してもよい。なお、図示する実施形態では、接続部５３にフランジを設けていているが、このようなフランジは有っても無くてもどちらでもよい。
【００４３】
第２の流路６が具備する第１継手部６３と第２継手部６５は、外側湾曲部６１の上部から分岐した流路であって、該外側湾曲部６１と一体的に形成されている。第１継手部６３には、図示しないボールベアリングを介して、第１の飛行制御手段２５を連結する。同様に、第２継手部６５には、図示しないボールベアリングを介して、第２の飛行制御手段３５を連結する。つまり、分岐した継手部６３，６５と、別箇独立の飛行制御手段２５，３５と、の間にはそれぞれボールベアリングが介在している。
【００４４】
耐圧ホース３を介して供給されるウォータージェットは、接続部５３に形成された入口から第１の流路５内に流れ込み、内側湾曲部５１の上部に形成された出口から排出され、さらに分岐した継手部６３，６５内の流路に流れ込み、さらに飛行制御手段２５，３５の流路を経て、図１に示すようにノズル２３，３３から噴出する。すなわち、自在継手部４に入り込んだウォータージェットは、継手部６３，６５の手前で分岐し、継手部６３，６５のそれぞれに流れ込んで、ノズル２３，３３へと導かれるようになっている。
【００４５】
なお、本実施形態では図示を省略しているが、内側湾曲部５１と外側湾曲部６１との間には、ベアリングを介在させてもよい。あるいは、内側湾曲部５１と外側湾曲部６１の間に隙間を設けて、両者の間に薄い水の膜が張るようにしてもよい。
【００４６】
このような構成の自在継手部４に対して耐圧ホース３（水上バイク等から供給されるウォータージェットの流路）を接続することで、該ホースによる飛行装置１の拘束が緩和され、空中で自由に動き回ることが可能になる。すなわち、例えば図４の矢印Ｘで示すように、自在継手部４の一部分（下側の第１の流路５）が耐圧ホース３に追従して動き回ることができるので、飛行装置１の全体に対する耐圧ホース３の拘束が緩和され、飛行装置１が空中で自由自在に動き回ることが可能になる。
【００４７】
（飛行制御手段の特徴）
右支持部２１と右ノズル２３を一体的に具備する第１の飛行制御手段２５は（図３参照）、自在継手部４内の流路に通ずる第１の継手部６３に対して、図示しないベアリング等を介して連結されている。したがって、図４の矢印Ａで示すように、右支持部２１と右ノズル２３を一体的に具備する第１の飛行制御手段２５は、自在継手部４に対して自由に回動させることが可能である。
【００４８】
同様に、左支持部３１と左ノズル３３を一体的に具備する第２の飛行制御手段３５は（図３参照）、自在継手部４内の流路に通ずる第２の継手部６５に対して、図示しないベアリング等を介して連結されている。したがって、図４の矢印Ｂで示すように、左支持部３１と左ノズル３３を一体的に具備する第２の飛行制御手段３５は、自在継手部４に対して自由に回動させることが可能である。
【００４９】
すなわち、
・右支持部２１と右ノズル２３を一体的に具備する第１の飛行制御手段２５と、
・左支持部３１と左ノズル３３を一体的に具備する第２の飛行制御手段３５は、
それぞれ、（一方が他方に拘束されることなく）独立して回動させることが可能である。
したがって、第１の飛行制御手段２５および第２の飛行制御手段３５の一方のノズルによる噴射方向を、任意のタイミングで、他方のノズルの噴射方向とは異なる方向に回動させることが可能である。
【００５０】
（アダプターの構成）
次に、図５〜図７に基づいて、本発明に係るアダプターについて説明する。
図５は、本発明に係るアダプターの一例を示すサンプル図である。
図６(a)は本発明に係るアダプターの一例を示す断面図であり、図６(b)は図６(a)に示すアダプターの分解図である。
図７は、図６(a)(b)に示すアダプターを、水圧飛行装置に適用した状態を示す図であって、該アダプターの動作を示す図である。
【００５１】
本発明に係るアダプター９は、図７に示すように、
・圧送される水を噴射させて水上で飛行するための飛行装置２と、
・該飛行装置に向けて水を圧送するための耐圧ホース３と、
を相互接続するための飛行装置用アダプター（接続器具）である。
【００５２】
ここでいう飛行装置とは、主として、従来装置のような自在継手を持たない装置を指しているが、前述した本発明に係る飛行装置であってもよい。すなわち、アダプターを適用可能な飛行装置には、ウォータージェットを推進力とする飛行装置であって、該アダプターを接続可能なあらゆる飛行装置が含まれる。
【００５３】
アダプター９は、図５〜図７に示すように、
ボールジョイントなどの自在継手で構成され、主として、
耐圧ホース３のウォータージェット出口７１に接続される第１の流路５と、
飛行装置２のウォータージェット入口７３に接続される第２の流路６と、
を有している。
【００５４】
第１の流路５は、前述した図２及び図３に示す実施形態と同様に、
・  球体の曲率の外周面を持つ内側湾曲部５１と、
・  水上バイク等のウォータージェット推進装置につながる耐圧ホースへの接続部５３と、を一体的に具備している。
【００５５】
第２の流路６は、前述した図２及び図３に示す実施形態と同様に、
・  球体の曲率の外周面を持つ外側湾曲部６１と、
・  第１の飛行制御手段を接続可能な第１継手部６３と、
・  第２の飛行制御手段を接続可能な第２継手部６５と、
を一体的に具備している。
【００５６】
すなわち、本発明に係るアダプター９は、機能的には、前述した飛行装置が有する自在継手部４（ボールジョイント）と同様である。
【００５７】
このような自在継手タイプのアダプター９を、図７に示すように、水圧飛行装置２と耐圧ホース３との間に介在させることで、第１の流路５が耐圧ホース３の動きに追従するので、例えば既存の水圧飛行装置の操作性を大幅に向上させることが可能になる。
【００５８】
（飛行装置の第２実施形態）
次に、図８・図９に基づいて、本発明に係る飛行装置の第２実施形態について説明する。
図８は、第２実施形態に係る飛行装置を示す断面図である。
図９は、図８に示す飛行装置の分解図である。
【００５９】
なお、前述した第１実施形態に係る飛行装置と同様の構成については、図面に同じ符号を記載し、詳細な説明を省略するとともに、前述した説明を援用する。
【００６０】
本実施形態において、自在継手部４ｂは、
・  外側湾曲部６１ｂと、
・  外側湾曲部６１ｂの内側で相対的に動作可能な内側湾曲部５１と、
・  内側湾曲部５１が外側湾曲部６１ｂから外れることを阻止する抜け止め部６７（止め部）と、を含んで構成される。
【００６１】
内側湾曲部５１と、外側湾曲部６１ｂは、図８に示すように、外側湾曲部６１ｂが内側湾曲部５１の一部を外側から包み込むように（例えば内側と外側で球面接触するように）、相互連結されている。また、内側湾曲部５１は、外側湾曲部６１ｂの内側に収まった状態で（所定の範囲内で）自由に動き回ることが可能である。
【００６２】
外側湾曲部６１ｂは、図２・図３に示す第１実施形態の場合と異なり、内側湾曲部５１を外側湾曲部６１ｂの内側空間に抜き差し自在な形状・寸法を有している。つまり、第１実施形態の外側湾曲部６１は、「内側湾曲部が外側湾曲部から外れることを阻止する」抜け止め機能を有していたが、第２実施形態の外側湾曲部６１ｂは、そのような抜け止め機能を有していない。（それ以外の機能は、第１実施形態の外側湾曲部の機能と同様である。）
【００６３】
その代わりに、第２実施形態の自在継手部４ｂは、図示するようなリング状／環状の抜け止め部６７を具備している。抜け止め部６７は、図９に示すように、その上部内周面に内ネジ部６８が形成されている。この抜け止め部６７の内ネジ６８に対応するように、外側湾曲部６１ｂの下部外周面には外ネジ部６２が形成されている。抜け止め部６７の内ネジ部６８と、外側湾曲部６１ｂの外ネジ部６２は、図８に示すように螺合して両者は一体化する。そして、図８に示すように外側湾曲部６１ｂと抜け止め部６７が一体化した状態では、内側湾曲部５１が外側湾曲部６１ｂから抜け出ないようになっている。
【００６４】
なお、図示する抜け止め部６７の形状は一例であり、「内側湾曲部が外側湾曲部から外れることを阻止する」といった機能を具備するものであれば、その形状や寸法は特に限定されない。
【００６５】
このように、本実施形態において自在継手部４ｂは、外側湾曲部・内側湾曲部・抜け止め部の３部構造を採用しており、これによって、自在継手部（ボールジョイント）の組立て、分解、洗浄、メンテナンスなどが容易になる。
また、摩耗などの劣化が生じた場合に、部分的な交換や補修で対応することができ、自在継手部（ボールジョイント）の全体を交換する場合に比べて、低コストでのメンテナンスが可能になる。
【００６６】
（アダプターの第２実施形態）
次に、図１０に基づいて、本発明に係るアダプターの第２実施形態について説明する。
図１０(a)は第２実施形態に係るアダプターの一例を示す断面図であり、図１０(b)は図１０(a)に示すアダプターの分解図である。
【００６７】
なお、前述した第１実施形態に係るアダプターと同様の構成については、図面に同じ符号を記載し、詳細な説明を省略するとともに、前述した説明を援用する。
【００６８】
第２実施形態に係るアダプター９は、前述した第１実施形態と同様に、ボールジョイントなどの自在継手で構成されている。
【００６９】
ただし、第２実施形態のアダプター９ｂは、
・  外側湾曲部６１ｂと、
・  外側湾曲部６１ｂの内側で相対的に動作可能な内側湾曲部５１と、
・  内側湾曲部５１が外側湾曲部６１ｂから外れることを阻止する抜け止め部６７（止め部）と、を含んで構成される。
【００７０】
外側湾曲部６１ｂ、内側湾曲部５１、抜け止め部６７の機能作用は、図８・図９に示す第２実施形態に係る飛行装置が具備するものと同様であるので、その詳細な説明を省略するとともに、第２実施形態に係る飛行装置の説明を援用する。
【００７１】
このように、本実施形態においてアダプター９ｂは、外側湾曲部・内側湾曲部・抜け止め部の３部構造を採用しており、これによって、当該アダプターの組立て、分解、洗浄、メンテナンスなどが容易になる。
また、摩耗などの劣化が生じた場合に、部分的な交換や補修で対応することができ、アダプターの全体を交換する場合に比べて、低コストでのメンテナンスが可能になる。
【００７２】
（飛行装置の第３実施形態）
次に、図１１に基づいて、本発明に係る飛行装置の第３実施形態について説明する。
図１１は、第３実施形態に係る飛行装置を示す断面図である。
【００７３】
なお、前述した第１実施形態に係る飛行装置と同様の構成については、図面に同じ符号を記載し、詳細な説明を省略するとともに、前述した説明を援用する。
【００７４】
第３実施形態に係る飛行装置は、
・第１の飛行制御手段２５の回動を妨げる第１の回動阻止部材２７（回動阻止手段）と、
・第２の飛行制御手段３５の回動を妨げる第２の回動阻止部材３７（回動阻止手段）と、
を具備している。
【００７５】
回動阻止部材２７，３７は、飛行制御手段２５，３５の動きをロックするため、飛行制御手段２５，３５が継手部６３，６５に対して相対的に回動しようとしても動くことがない。つまり、回動阻止部材２７，３７はそれぞれ、飛行制御手段２５，３５に対する動作ロック部材として機能する。
【００７６】
上述した回動阻止部材２７，３７は、必要なときに自由に取り外すことができ、また、自由に取り付けることができる。すなわち、回動阻止部材２７，３７は着脱自在に構成されている。
【００７７】
なお、回動阻止部材２７，３７の構成は、着脱可能であれば特に限定されるものではなく、たとえば固定棒やロックピンなどで構成することが可能である。また、回動阻止部材２７，３７は、単に抜き差しするものでもよく、あるいは、簡単に外れたり落下しないようにネジ込み式の部材で構成されてもよい。
【００７８】
上述した構成を採用することで、第１・第２の飛行制御手段が回動しないように必要に応じて固定することが可能となる。すなわち、第１・第２の飛行制御手段の可動域を必要に応じて意図的に制限することで（第１・第２の飛行制御手段の動作を規制することで）、飛行装置の操作が単純化され、飛行装置の初心者であっても、安心して安定した飛行を楽しむことができる。
また、飛行装置の操作に慣れた者が使用する場合には、回動阻止部材２７，３７を取り外すことで、第１・第２の飛行制御手段を自由自在に回動させることができ、その結果、複雑な飛行パフォーマンスを実現することが可能になる。
つまり、飛行装置のユーザのレベル（練度や技能）に応じて、飛行装置の操作を単純化させたり複雑化させることが可能となる。
【００７９】
（その他の実施形態）
上述した実施形態では、乗員を支えるための乗員支持手段を、乗員の右足側に連結される右支持部と、乗員の左足側に連結される左支持部と、を別個独立の部材として構成したが、本発明で採用可能な乗員支持手段の構成は必ずしもこれに限定されない。
すなわち、乗員支持手段は、機能的に一体化した一つの台で構成してもよく、あるいは、前述した実施形態のように、左支持部と右支持部に分けて構成してもよい。
【００８０】
また、前述した実施形態では、右ノズルを具備する第１の飛行制御手段と、左ノズルを具備する第２の飛行制御手段を、それぞれ独立して回動するように構成しているが、従来装置にようにこれらが回動しないように固定することも可能であえる。
【００８１】
最後に、上述した実施形態は、特許請求の範囲に記載した本発明に例示であり、本発明の技術的範囲は上述した実施形態に限定されるものではない。
【符号の説明】
【００８２】
１      飛行装置（ハイドロフライト装置／水噴射式飛行器具）
２      飛行装置（ハイドロフライト装置／水噴射式飛行器具）
３      耐圧ホース（ウォータージェットの流路）
４      自在継手部（ボールジョイント）
５      第１の流路
６      第２の流路
９      アダプター（接続器具）
２１    右支持部（乗員支持手段）
２３    右ノズル（右噴射部／噴射手段）
２５    第１の飛行制御手段
２７    第１の回動阻止部材（第１の回動阻止手段／ロックピン／固定棒）
３１    左支持部（乗員支持手段）
３３    左ノズル（左噴射部／噴射手段）
３５    第２の飛行制御手段
３７    第２の回動阻止部材（第２の回動阻止手段／ロックピン／固定棒）
５１    内側湾曲部（内側ボール部）
５３    接続部
６１    外側湾曲部（外側ボール部）
６２    外ネジ部
６３    第１継手部
６５    第２継手部
６７    抜け止め部（止め部）
６８    内ネジ部
７１    ウォータージェット出口（圧送水出口）
７３    ウォータージェット入口（圧送水入口）
【図１】
0006268316.tif 000002
【図２】
0006268316.tif 000003
【図３】
0006268316.tif 000004
【図４】
0006268316.tif 000005
【図５】
0006268316.tif 000006
【図６】
0006268316.tif 000007
【図７】
0006268316.tif 000008
【図８】
0006268316.tif 000009
【図９】
0006268316.tif 000010
【図１０】
0006268316.tif 000011
【図１１】
0006268316.tif 000012
【図１２】
0006268316.tif 000013